(57)【特許請求の範囲】
【請求項１】
電子ヒューズ端子（ＳＫ１）および少なくとも１つの第１直列端子（ＲＫ１）を備えた分配システムであって、
前記電子ヒューズ端子（ＳＫ１）および前記少なくとも１つの第１直列端子（ＲＫ１）は取付レール（ＴＳ）上で互いに直接隣接して配置され、前記電子ヒューズ端子（ＳＫ１）および前記少なくとも１つの第１直列端子（ＲＫ１）はそれぞれ少なくとも１つの隣接したブリッジ部材を有しており、
前記電子ヒューズ端子（ＳＫ１）には入力電圧（ＩＮ）を供給することができ、前記電子ヒューズ端子（ＳＫ１）は少なくとも１つの保護された第１出力電位（ＯＵＴＳ）を利用可能にし、
前記保護された第１出力電位（ＯＵＴＳ）は、前記第１直列端子（ＲＫ１）への第１ブリッジプラグ（ＢＳ１）によって前記第１直列端子（ＲＫ１）に送られ、
前記分配システムはまた、前記第１出力電位（ＯＵＴＳ）とは異なる第２出力電位（ＧＮＤ，ＩＮ）を第２ブリッジ部材に利用可能とさせる分配システム。
【請求項２】
前記分配システムは、更に、少なくとも１つの第２直列端子（ＲＫ２）を備え、前記第２直列端子（ＲＫ２）は少なくとも１つの隣接したブリッジ部材を有し、前記電子ヒューズ端子（ＳＫ１）および前記第２直列端子（ＲＫ２）は取付レール（ＴＳ）上で互いに直接隣接して配置され、前記保護された第１出力電位（ＯＵＴＳ）は、前記第１ブリッジプラグ（ＢＳ１）によって前記第２直列端子（ＲＫ２）に送られるか、または、第２ブリッジプラグ（ＢＳ２）によって第２直列端子（ＲＫ２）に送られる請求項１記載の分配システム。
【請求項３】
前記分配システムは、更に、少なくとも１つの第２直列端子を備え、前記電子ヒューズ端子（ＳＫ１）および前記第２直列端子は取付レール（ＴＳ）上で互いに直接隣接して配置され、前記電子ヒューズ端子（ＳＫ１）は少なくとも１つの保護された第２出力電位を利用可能にし、前記保護された第２出力電位は、前記電子ヒューズ端子（ＳＫ１）への第２ブリッジプラグ（ＢＳ２）によって前記第２直列端子に送られる請求項１記載の分配システム。
【請求項４】
前記電子ヒューズ端子（ＳＫ１）は、遠隔信号（ＦＭ）を利用可能にする先の請求項のうちのいずれか１つに記載の分配システム。
【請求項５】
前記電子ヒューズ端子（ＳＫ１）は、ローカル故障報告用の警報装置を利用可能にする先の請求項のうちのいずれか１つに記載の分配システム。
【請求項６】
前記電子ヒューズ端子（ＳＫ１）は、７ｍｍ、特に、６．２ｍｍ未満の幅を有する先の請求項のうちのいずれか１つに記載の分配システム。
【請求項７】
前記電子ヒューズ端子（ＳＫ１）は、恒久的なプリセット電流値を有している先の請求項のうちのいずれか１つに記載の分配システム。
【請求項８】
前記電子ヒューズ端子（ＳＫ１）は、前記保護された出力電位（ＯＵＴＳ）の電流をプリセット値に制限する先の請求項のうちのいずれか１つに記載の分配システム。
【請求項９】
前記電子ヒューズ端子（ＳＫ１）は、ヒューズ機能用の手動トリガを有している先の請求項のうちのいずれか１つに記載の分配システム。
【発明の詳細な説明】
【技術分野】
【０００１】
本発明は、電子ヒューズ端子および少なくとも１つの第１直列端子を備えた分配システムに関する。
【背景技術】
【０００２】
電子ヒューズは、先行技術から既に知られている。
支持レールを取り付ける様々なシステムが知られている。
一つには、１つの接続部で保護された１つの電位を提供する、所謂「１チャネルソリューション」があり、もう一つには、異なる接続部で保護された幾つかの電位を提供する、「多チャネルソリューション」がある。
【０００３】
しかしながら、これらのソリューションは、小規模化およびコスト効率の良い構造を提供する一方で、産業的環境における複数の消費者に対して１つの保護された電位または幾つかの保護された電位を提供することはできない。
本発明の目的は、先行技術の欠点のうちの一または複数を回避する、電子ヒューズ端子を備えた、改良されたコスト効率の良い分配システムを提供することにある。
【発明の概要】
【０００４】
上記目的は、本発明により、独立請求項の特徴事項によって達成される。本発明の有利な実施形態は、従属請求項に示されている。
下記では、本発明が、好ましい実施形態に基づく添付図面を参照してさらに詳細に記述される。
【図面の簡単な説明】
【０００５】
【図１】本発明の実施形態にかかる第１概略図を示している。
【図２】本発明の実施形態にかかる第２概略図を示している。
【図３】本発明の実施形態にかかる第３概略図を示している。
【発明を実施するための形態】
【０００６】
本発明は、上記図面を参照してさらに詳細に下に記述される。なお、様々な態様が記述され、それらのそれぞれが、独立してまたは組み合わせで利用されることができる。つまり、如何なる態様も本発明の様々な実施形態と共に使用されることができるが、単なる代替として明示的に描写されているわけではない。
さらに、単純化のため、参照は、一般に、下記では１つの実体のみになされる。しかしながら、明示的に注記しない限り、本発明は、当該実体の幾つかを有することもある。したがって、不定冠詞の語の使用は、少なくとも１つの実体が単一の実施形態で使用されるという意味の表示としてのみ理解される。
続く記述では、図面への参照がなされている。同一または同様の要素は、概して、同一または同様の参照符号によって指定されている。
【０００７】
本発明にかかる１つの典型的な分配システムは、図１に示されている。
分配システムは、少なくとも１つの電子ヒューズ端子ＳＫ１を有している。しかしながら、本発明はこれに限定されず、むしろ、例えば、図３に示すように、２つ以上の電子ヒューズ端子ＳＫ２と共に使用されることができる。
さらに、本発明にかかる典型的な分配システムは、少なくとも１つの第１直列端子ＲＫ１を有している。
直列端子は、複数の消費者に電位を提供する目的で備えられている。この目的のために、直列端子は、例えば、該直列端子間で電位を分配するように作用する、（ブリッジ面上の）隣接したブリッジ部材を有している。幾つかの直列端子は、また、ブリッジを介して利用可能となったそれぞれの電位を消費者に供給することができる一または複数の面上に、一または複数の接続部も有している。
【０００８】
電子ヒューズ端子ＳＫ１および少なくとも１つの直列端子のＲＫ１は、取付レールＴＳ上で互いに直接隣接して配置されている。取付レールは、適切な材料からなる異形材レール（例えば、頂冠レール、Ｇ−レール）とすることができる。このような取付レールＴＳの一例は、所謂「ＤＩＮレール」である。
電子ヒューズ端子ＳＫ１および少なくとも１つの第１直列端子ＲＫ１は、それぞれ、少なくとも１つの隣接したブリッジ部材を有している。図１および図２は、２つのブリッジ部材を備えた例を示しており、これらのブリッジ部材は、ブリッジ面ＢＥ１およびＢＥ２上に配置されている。図３は、ブリッジ面ＢＥ１〜ＢＥ４上の４つのブリッジ部材を備えた例を示している。
【０００９】
図１では、電子ヒューズ端子ＳＫ１には、給電端子ＳＶを介して間接的に入力電圧ＩＮが供給され、第２ブリッジプラグＢＳ２を介して取付レールＴＳ上に配置されている。
これに対して、図２および図３では、入力電圧ＩＮは、電子ヒューズ端子ＳＫ１に直接的に接続されている。つまり、提示されている本発明のシステムは、非常に柔軟であり、例えば、給電端子ＳＶを介して高容量電源を接続することが可能である。例えば、給電端子ＳＶの接続部は、電子ヒューズ端子ＳＫ１よりも大きな導体断面を提供することができる。
なお、直流電圧の使用を示唆する電位が以下で記述されているが、本発明は、これに限定されるものではない。
【００１０】
電子ヒューズ端子ＳＫ１は、少なくとも１つの保護された第１出力電位ＯＵＴＳを提供する。
保護された第１出力電位ＯＵＴＳは、第１ブリッジプラグＢＳ１によって第１直列端子ＲＫ１に送られる。
本発明の１つの態様によれば、本システムは、また、第２ブリッジ部材に、第１出力電位ＯＵＴＳとは異なる第２出力電位ＧＮＤ，ＩＮを提供することも可能である。例えば、それは図３に示されており、電子ヒューズ端子ＳＫ２は、ブリッジ面ＢＥ２上の直列端子ＲＫ１に（非保護）入力電位を送る一方、接地電位ＧＮＤは、ブリッジ面ＢＥ３上の直列端子ＲＫ２に送られ、保護された出力電位ＯＵＴＳは、ブリッジ面ＢＥ１上に送られる。つまり、ブリッジ部材が適切に設計されている場合には、異なる電位（保護および非保護の両方）を分配することができる。
【００１１】
接地電位ＧＮＤは、図に示すように、電子ヒューズ端子へ接合部を用いて供給することができるが、これに代えてまたはこれに加えて、接地電位は、金属製の取付レールＴＳによっても利用可能となりえ、その場合には、電気的接点は、例えば、金属製の締結要素によって、電子ヒューズ端子の配置の際に取付レールに設けられうる。
勿論、本システムは、少なくとも１つの第２直列端子を有することもでき、該第２直列端子は、少なくとも１つの隣接したブリッジ部材も有し、電子ヒューズ端子ＳＫ１および第２直列端子は、取付レールＴＳ上で互いに直接隣接して配置される。
図２に示すように、保護された第１出力電位ＯＵＴＳは、第１ブリッジプラグＢＳ１によって第２直列端子ＲＫ５に送られるか、および／または、第２ブリッジプラグ（図示せず）によって第２直列端子ＲＫ５に送られる。
【００１２】
例えば、所定レベルの電流を送るために幾つかのブリッジプラグを使用して並列接続を設定することが必要であると分かる。
換言すれば、図２では、保護された出力電位ＯＵＴＳは、電子ヒューズ端子ＳＫ１の左側の直列端子ＲＫ５〜ＲＫ７、および、電子ヒューズ端子ＳＫ１の右側の直列端子ＲＫ１〜ＲＫ４の両方に分配される。
しかしながら、これに対して、図２および図３の教示の比較から容易に理解できるように、左右に異なる（保護されたおよび／または非保護の）電位を分配することも可能である。
【００１３】
特に有利には、電子ヒューズ端子ＳＫ１は遠隔信号ＦＭを提供しうる。図３に示すように、この遠隔信号は、集合遠隔信号として使用されうる。したがって、より大きな回路では、例えば、遠隔信号はサービス技術者に提供され、それによって、問題の回路の位置特定がより容易になる。
これに代えてまたはこれに加えて、故障したまたは過負荷の電子ヒューズ端子を素早く位置特定することを可能にすべく、ローカル故障報告用の音響および／または光学警報装置（例えば、（赤色）発光ダイオードまたは音響信号発信機）を備えることもできる。これに代えてまたはこれに加えて、例えば、緑色ＬＥＤを使用した（付加的な）操作表示装置を有効にすることもできる。
【００１４】
電子ヒューズ端子ＳＫ１の幅は７ｍｍ（特に、６．２ｍｍ）未満であることが特に有利であり、これにより、出願人の直列端子システムの好ましいグリッド寸法内に収まることが可能となる。
また有利には、トリガ電流値は、電子ヒューズ端子ＳＫ１内に恒久的にプリセットされうる。しかしながら、この電流値は、製造および／または設置中に選択されることも可能である。このように、当該電流値を任意の装置および任意の状況に適合するよう設定することができるため、個々のニーズによりよく対処することができると同時にコストを削減することもできる。
【００１５】
特に、保護された出力電位（ＯＵＴＳ）の最大電流がプリセット値（例えば、６Ａ）に制限されるようにし、または、或る値に達するか若しくは超過したときに直ちにまたは遅延してオフに切り替えられるようにすることもできる。
これに加えて、電子ヒューズ端子ＳＫ１はヒューズ機能用の手動トリガを備えることもできる。これは、例えば、組立てまたは保守作業中の有利な保護手段となりうる。
つまり、これによって、本発明では、より多くの消費者を接続することが可能である。
そのうえ、本発明は、小規模で、より多くの消費者を接続することを可能にする。
【符号の説明】
【００１６】
ＲＫ１〜ＲＫＮ  直列端子
ＳＫ１，ＳＫ２  電子ヒューズ端子
ＴＳ  取付レール
ＩＮ  入力電圧
ＯＵＴＳ  第１出力電位
ＢＳ１，ＢＳ２  ブリッジプラグ
ＦＭ  遠隔信号
ＳＶ  給電端子
ＢＥ１〜ＢＥ４  ブリッジ面
【図１】
0006445508.tif 000002
【図２】
0006445508.tif 000003
【図３】
0006445508.tif 000004